(57)【要約】【課題】フィルターの設計自由度が高く、フィルターの品質性を維持しつつ、フィルターとガスケットとを安定的に固定可能とするフィルター付きガスケットを提供する。【解決手段】ガスケット１２０の内周に沿って設けられ、かつガスケット１２０に一体的に設けられる樹脂製の環状部材１３０と、環状部材１３０に対して固定される樹脂製の被固定部材１４０と、を備え、フィルター１１０は、環状部材１３０と被固定部材１４０とにより挟み込まれることで、これら環状部材１３０及び被固定部材１４０に固定されていることを特徴とする。【選択図】図３
2018091352.tif 000002
【特許請求の範囲】
【請求項１】
金属製のフィルターと、
前記金属製のフィルターの外周側に全周に亘って設けられ、２部材間の隙間を封止する弾性体製のガスケットと、
を備えるフィルター付きガスケットであって、
前記ガスケットの内周に沿って設けられ、かつ該ガスケットに一体的に設けられる樹脂製の環状部材と、
前記環状部材に対して固定される樹脂製の被固定部材と、
を備え、
前記フィルターは、前記環状部材と被固定部材とにより挟み込まれることで、これら環状部材及び被固定部材に固定されていることを特徴とするフィルター付きガスケット。
【請求項２】
前記フィルターに重ね合わされた状態で、前記環状部材と被固定部材とにより挟み込まれることで、これら環状部材及び被固定部材に固定され、前記フィルターを補強する補強部材を備えることを特徴とする請求項１に記載のフィルター付きガスケット。
【請求項３】
前記環状部材には前記フィルターの孔に挿通される突起が設けられると共に、
前記被固定部材には前記突起が嵌合される嵌合穴が設けられていることを特徴とする請求項１または２に記載のフィルター付きガスケット。
【発明の詳細な説明】
【技術分野】
【０００１】
本発明は、金属製のフィルターを備えるフィルター付きガスケットに関する。
【背景技術】
【０００２】
金属製のフィルターを備えるフィルター付きガスケットにおいては、金属製のフィルターをインサート部品として、インサート成形によって製造されるのが一般的である。この場合、金型内にインサート部品であるフィルターを位置決めさせるために、金型及びフィルターに位置決め用の構造が設けられる。そして、インサート成形後に成形品から位置決め用の構造部分をトリミングすることで、最終製品が得られる。
【０００３】
従って、金属製のフィルターが単純な形状の場合には、位置決め用の構造を設け難い場合がある。また、逆に複雑な形状のフィルターの場合にも、位置決め用の構造を設け難い場合がある。また、フィルターが薄く、低剛性の場合には、使用により異物がメッシュ部に詰まり、流動抵抗が大きくなった際に、フィルターが破損してしまうおそれがある。この対策として、フィルターと補強部材とを重ねてインサート成形することも考えられるが、２つの部材をインサート部品としてインサート成形する場合には、生産性が劣ってしまう問題が生ずる。また、フィルターの目詰まりを防止するために、フィルターを接着剤に浸漬塗布することができないため、フィルターとガスケットとを固定させる力が弱くなってしまうおそれもある。
【先行技術文献】
【特許文献】
【０００４】
【特許文献１】特開２０１３−２４５７２６号公報
【発明の概要】
【発明が解決しようとする課題】
【０００５】
本発明の目的は、フィルターの設計自由度が高く、フィルターの品質性を維持しつつ、フィルターとガスケットとを安定的に固定可能とするフィルター付きガスケットを提供することにある。
【課題を解決するための手段】
【０００６】
本発明は、上記課題を解決するために以下の手段を採用した。
【０００７】
本発明のフィルター付きガスケットは、
金属製のフィルターと、
前記金属製のフィルターの外周側に全周に亘って設けられ、２部材間の隙間を封止する弾性体製のガスケットと、
を備えるフィルター付きガスケットであって、
前記ガスケットの内周に沿って設けられ、かつ該ガスケットに一体的に設けられる樹脂製の環状部材と、
前記環状部材に対して固定される樹脂製の被固定部材と、
を備え、
前記フィルターは、前記環状部材と被固定部材とにより挟み込まれることで、これら環状部材及び被固定部材に固定されていることを特徴とする。
【０００８】
本発明によれば、金属製のフィルターは、ガスケットに一体的に設けられる樹脂製の環状部材と、環状部材に固定される樹脂製の被固定部材とにより挟み込まれることで、これ
ら環状部材及び被固定部材に固定される。そのため、金属製のフィルターをインサート部品としてインサート成形する場合のように、フィルターをインサート部品とする場合に生ずる種々の問題は発生しない。従って、フィルターの設計自由度を高くすることができ、かつフィルターの品質を維持させることができる。また、フィルターは、ガスケットに一体的に設けられる樹脂製の環状部材と樹脂製の被固定部材とにより挟み込まれることで固定されるため、ガスケットに対して安定的に固定される。
【０００９】
前記フィルターに重ね合わされた状態で、前記環状部材と被固定部材とにより挟み込まれることで、これら環状部材及び被固定部材に固定され、前記フィルターを補強する補強部材を備えるとよい。
【００１０】
このようにフィルターに補強部材を重ね合わせる場合においても、これらフィルターと補強部材とをインサート部品としてインサート成形する必要がない。
【００１１】
前記環状部材には前記フィルターの孔に挿通される突起が設けられると共に、
前記被固定部材には前記突起が嵌合される嵌合穴が設けられているとよい。
【００１２】
これにより、フィルターを環状部材及び被固定部材に対して、より安定的に固定させることができる。
【００１３】
なお、上記各構成は、可能な限り組み合わせて採用し得る。
【発明の効果】
【００１４】
以上説明したように、本発明によれば、フィルターの設計自由度が高く、フィルターの品質性を維持しつつ、フィルターとガスケットとを安定的に固定させることができる。
【図面の簡単な説明】
【００１５】
【図１】図１は本発明の実施例に係るフィルター付きガスケットの使用状態を示す模式的断面図である。
【図２】図２は本発明の実施例１に係るフィルター付きガスケットの平面図である。
【図３】図３は本発明の実施例１に係るフィルター付きガスケットの一部拡大断面図である。
【図４】図４は本発明の実施例１に係るフィルター付きガスケットにおいて、被固定部材が固定される前の状態を示す平面図である。
【図５】図５は本発明の実施例１に係るフィルター付きガスケットにおいて、被固定部材が固定される前の状態を示す一部拡大断面図である。
【図６】図６は本発明の実施例１に係る環状部材の平面図の一部である。
【図７】図７は本発明の実施例１に係る被固定部材の背面図の一部である。
【図８】図８は本発明の変形例に係る被固定部材の正面図である。
【図９】図９は本発明の変形例に係る被固定部材の背面図である。
【図１０】図１０は本発明の実施例２に係るフィルター付きガスケットの一部拡大断面図である。
【図１１】図１１は補強部材の平面図である。
【図１２】図１２は補強部材の平面図である。
【発明を実施するための形態】
【００１６】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１７】
（実施例１）
図１〜図９を参照して、本発明の実施例１に係るフィルター付きガスケットについて説明する。
【００１８】
＜フィルター付きガスケットの使用例＞
図１を参照して、本実施例に係るフィルター付きガスケットの使用例について説明する。図１は本発明の実施例に係るフィルター付きガスケットの使用状態を示す模式的断面図である。図１においては、本実施例に係るフィルター付きガスケットについて概略的に示している。
【００１９】
本実施例に係るフィルター付きガスケット１００は、金属製のフィルター１１０と、フィルター１１０の外周側に全周に亘って設けられる弾性体製のガスケット１２０とを備えている。ガスケット１２０は、２部材間の隙間を封止する役割を担っている。図１に示す例においては、２つの管２１０，２２０の端面間にガスケット１２０が挟み込まれた状態で、本実施例に係るフィルター付きガスケット１００が配置されている。これにより、ガスケット１２０によって２つの管２１０，２２０の端面間の隙間が封止されると共に、接続された２つの管２１０，２２０内部の通路内にフィルター１１０が配置される。従って、例えば、図中、右側の管２１０から左側の管２２０に流体が流れる際に、流体中に含まれる異物をフィルター１１０により捕捉することができる。
【００２０】
＜フィルター付きガスケットの構成＞
図２〜図９を参照して、本実施例に係るフィルター付きガスケットの構成について説明する。図２は本発明の実施例１に係るフィルター付きガスケットの平面図である。図３は本発明の実施例１に係るフィルター付きガスケットの一部拡大断面図であり、図２中のＡＡ断面図である。図４は本発明の実施例１に係るフィルター付きガスケットにおいて、被固定部材が固定される前の状態を示す平面図である。図５は本発明の実施例１に係るフィルター付きガスケットにおいて、被固定部材が固定される前の状態を示す一部拡大断面図であり、図４中のＢＢ断面図である。図６は本発明の実施例１に係る環状部材の平面図の一部である。図７は本発明の実施例１に係る被固定部材の背面図の一部である。図８は本発明の変形例に係る被固定部材の正面図である。図９は本発明の変形例に係る被固定部材の背面図である。なお、図３，５においては、切断面のみを示し奥行き線は省略している。
【００２１】
本実施例に係るフィルター付きガスケット１００は、金属製のフィルター１１０と、フィルター１１０の外周側に全周に亘って設けられる弾性体製のガスケット１２０とを備えている。フィルター１１０は、例えば、金属プレートに対して、プレス加工やエッチング加工が施されることにより微細孔（メッシュ）が形成されることにより得られる。本実施例に係るフィルター１１０は、その外周面が円形である。
【００２２】
ガスケット１２０には、ガスケット１２０の内周に沿って設けられ、かつガスケット１２０に一体的に設けられる樹脂製の環状部材１３０が備えられている。なお、環状部材１３０をインサート部品として、インサート成形（加硫成形）することによって、環状部材１３０を備えるガスケット１２０を得ることができる。ガスケット１２０は、略円筒状の部材により構成されている。そして、本実施例に係る環状部材１３０は、段差を有する略円筒状の部材により構成されており、径方向内側の薄板部１３１と、薄板部１３１よりも径方向外側の厚板部１３２とを備えている。薄板部１３１には、複数個所（本実施例では、８か所）に突起１３１ａが設けられている。なお、これら複数の突起１３１ａは、周方向に間隔を空けて配置されており、本実施例においては、等間隔に配置されている。そして、厚板部１３２の外周側に沿うようにガスケット１２０が設けられている。
【００２３】
また、本実施例に係るフィルター付きガスケット１００においては、環状部材１３０に対して固定される樹脂製の被固定部材１４０が備えられている。環状部材１３０と被固定部材１４０との固定方法については、特に限定されるものではなく、ハトメ等の固定具を用いた物理的結合の他、振動溶着や超音波溶着などによる接着など、各種公知技術を採用し得る。被固定部材１４０は、略円筒状の部材により構成されている。そして、被固定部材１４０には、環状部材１３０の薄板部１３１に設けられた突起１３１ａが嵌合する嵌合穴１４１が、複数個所（本実施例では、８か所）に設けられている。なお、これら複数の嵌合穴１４１は、周方向に間隔を空けて配置されており、本実施例においては、等間隔に配置されている。
【００２４】
そして、フィルター１１０は、環状部材１３０と被固定部材１４０とにより挟み込まれることで、これら環状部材１３０及び被固定部材１４０に固定される。より具体的には、まず、ガスケット１２０に一体的に設けられた環状部材１３０に対してフィルター１１０が配置される。このとき、環状部材１３０における薄板部１３１に設けられた複数の突起１３１ａがそれぞれフィルター１１０の目（孔）を挿通するように、環状部材１３０にフィルター１１０が配置される（図４及び図５参照）。
【００２５】
その後、被固定部材１４０が環状部材１３０に対して固定される。このとき、被固定部材１４０に設けられた複数の嵌合穴１４１が、それぞれ環状部材１３０の薄板部１３１に設けられた突起１３１ａに嵌合された後に、各種方法により固定される。これにより、フィルター１１０は、環状部材１３０と被固定部材１４０とにより挟み込まれた状態で固定される（図３参照）。
【００２６】
＜本実施例に係るフィルター付きガスケットの優れた点＞
本実施例によれば、金属製のフィルター１１０は、ガスケット１２０に一体的に設けられる樹脂製の環状部材１３０と、環状部材１３０に固定される樹脂製の被固定部材１４０とにより挟み込まれることで、これら環状部材１３０及び被固定部材１４０に固定される。つまり、ガスケット１２０に対してフィルター１１０を固定させるために、フィルター１１０をインサート部品としてインサート成形する必要がない。そのため、金属製のフィルターをインサート部品としてインサート成形する場合のように、フィルターをインサート部品とする場合に生ずる種々の問題は発生しない。従って、フィルター１１０の設計自由度を高くすることができ、かつフィルター１１０の品質を維持させることができる。
【００２７】
また、フィルター１１０は、ガスケット１２０に一体的に設けられる樹脂製の環状部材１３０と樹脂製の被固定部材１４０とにより挟み込まれることで固定されるため、ガスケット１２０に対して安定的に固定される。つまり、金属製のフィルターをインサート部品としてインサート成形によりガスケットを成形する場合には、従来技術の中で説明したように、フィルターとガスケットとを安定的に固定させることは難しい。これに対して、樹脂製の環状部材１３０をインサート部品としてインサート成形によりガスケット１２０を成形する場合には、これらを強固に固定させるのは容易である。従って、結果的に、フィルター１１０とガスケット１２０とを安定的に固定させることが可能となる。
【００２８】
また、本実施例に係るフィルター付きガスケット１００においては、環状部材１３０にはフィルター１１０の目（孔）に挿通される突起１３１ａが設けられると共に、被固定部材１４０には突起１３１ａが嵌合される嵌合穴１４１が設けられている。これにより、フィルター１１０を環状部材１３０及び被固定部材１４０に対して、より安定的に固定させることができる。
【００２９】
＜被固定部材の変形例＞
本実施例においては、被固定部材１４０として略円筒状の部材を採用し、一つの被固定部材１４０に複数の嵌合穴１４１が設けられる構成について示した。しかしながら、被固定部材１４０については、このような構成に限定されるものではない。例えば、図８及び図９に示すように、円柱状部材により構成された被固定部材１４０Ｘを採用することもできる。この被固定部材１４０Ｘにおいては、その中央の１箇所に嵌合穴１４１Ｘが設けられている。このように構成される被固定部材１４０Ｘを用いる場合には、環状部材１３０に設けられた複数の突起１３１ａに対して、それぞれ一つずつ被固定部材１４０Ｘを固定すればよい。従って、上記の実施例のように、８か所に突起１３１ａが設けられた環状部材１３０に対しては、８個の被固定部材１４０Ｘが必要となる。なお、環状部材１３０と被固定部材１４０Ｘとの固定方法については、上記実施例で説明した通りである。
【００３０】
（実施例２）
図１０〜図１２には、本発明の実施例２が示されている。上記実施例１では、環状部材と被固定部材とによりフィルターのみを挟み込んで固定させる構成を示したが、本実施例においては、環状部材と被固定部材とにより、フィルターと補強部材とを挟み込んで固定させる構成を示す。その他の構成および作用については実施例１と同一なので、同一の構成部分については同一の符号を付して、その説明は省略する。
【００３１】
フィルターが薄くて剛性が低い場合には、フィルターを補強するために補強部材が設けられる。本実施例においては、補強部材を設ける場合の構成について、図１０〜図１２を参照して説明する。図１０は本発明の実施例２に係るフィルター付きガスケットの一部拡大断面図である。なお、図１０においては、切断面のみを示し奥行き線は省略している。図１１及び図１２は補強部材の平面図であり、それぞれ異なる構成について示している。
【００３２】
本実施例に係るフィルター付きガスケット１００においても、上記実施例１の場合と同様に、金属製のフィルター１１０Ｘと、フィルター１１０Ｘの外周側に全周に亘って設けられる弾性体製のガスケット１２０とを備えている。また、上記実施例１の場合と同様に、ガスケット１２０には、環状部材１３０が一体的に設けられている。更に、上記実施例１と同様に、フィルター付きガスケット１００は、環状部材１３０に対して固定される樹脂製の被固定部材１４０も備えられている。ガスケット１２０，環状部材１３０、及び被固定部材１４０の構成については、上記実施例１の場合と同一であるので、その説明は適宜省略する。
【００３３】
本実施例においては、フィルター１１０Ｘに重ね合わされた状態で、環状部材１３０と被固定部材１４０とにより挟み込まれることで、これら環状部材１３０及び被固定部材１４０に固定される補強部材１５０が備えられている点が、上記実施例１の場合とは異なっている。補強部材１５０は、フィルター１１０Ｘを補強するために設けられている。この補強部材１５０を設けることによって、剛性の低いフィルター１１０Ｘの損傷を抑制することが可能となる。
【００３４】
このように、フィルター１１０Ｘを補強するための補強部材１５０を設ける場合においても、フィルター１１０Ｘに補強部材１５０を重ね合わせた状態で、環状部材１３０と被固定部材１４０とにより挟み込むようにして、補強部材１５０を固定させることができる。
【００３５】
なお、補強部材の構成は特に限定されるものではない。ここでは、図１１と図１２を参照して、２種類の補強部材について簡単に説明する。図１１に示す補強部材１５０は、円環状部１５１の内側に補強用の格子状部１５２が設けられた構成である。格子状部１５２は、フィルター１１０Ｘよりも剛性が高く、かつ目が粗いことで、フィルター１１０Ｘの機能を妨げることなく、フィルター１１０Ｘを補強する機能を発揮する。円環状部１５１
には、環状部材１３０の薄板部１３１に設けられた複数の突起１３１ａがそれぞれ挿通される貫通孔１５１ａが複数設けられている。また、図１２に示す補強部材１５０Ｘは、円環状部１５１Ｘに複数の貫通孔１５１Ｘａが設けられた構成である。貫通孔１５１Ｘａは、環状部材１３０の薄板部１３１に設けられた突起１３１ａが挿通されるために設けられている。フィルター１１０Ｘのうち、環状部材１３０及び被固定部材１４０によって挟み込まれる付近のみを補強すればよい場合には、このように構成された補強部材１５０Ｘを採用することができる。なお、同種又は異種のフィルターを複数重ねて環状部材１３０及び被固定部材１４０によって挟み込んで固定させる構成も採用し得る。
【００３６】
（その他）
上記各実施例においては、フィルターの平面形状が円形で、ガスケット，環状部材、及び被固定部材もフィルターの平面形状に合わせて略円筒状の部材により構成される場合を示した。しかしながら、これらの形状は、そのような形状に限定されるものではない。つまり、フィルターの平面形状は円形に限定されるものではなく、様々な形状を採用し得る。そして、ガスケット，環状部材、及び被固定部材については、フィルターの外周側の形状に合わせた形状とすればよい。
【符号の説明】
【００３７】
１００  フィルター付きガスケット
１１０，１１０Ｘ  フィルター
１２０  ガスケット
１３０  環状部材
１３１  薄板部
１３１ａ  突起
１３２  厚板部
１４０，１４０Ｘ  被固定部材
１４１，１４１Ｘ  嵌合穴
１５０，１５０Ｘ  補強部材
１５１，１５１Ｘ  円環状部
１５１ａ，１５１Ｘａ  貫通孔
１５２  格子状部
２１０，２２０  管
【図１】
2018091352.tif 000003
【図２】
2018091352.tif 000004
【図３】
2018091352.tif 000005
【図４】
2018091352.tif 000006
【図５】
2018091352.tif 000007
【図６】
2018091352.tif 000008
【図７】
2018091352.tif 000009
【図８】
2018091352.tif 000010
【図９】
2018091352.tif 000011
【図１０】
2018091352.tif 000012
【図１１】
2018091352.tif 000013
【図１２】
2018091352.tif 000014